(57)【特許請求の範囲】
【請求項１】
ホースをパイプ等のまわりに締め付けるホースクランプであって、一方の端部にラックを形成したベルト部と、
該ベルト部の他方の端部に設けたハウジング部と、
該ハウジング部内に回転可能に貫通保持され、ホース等のまわりに巻まわした上記ベルト部の一方の端部のラックと螺合し、上記一方の端部を螺進せしめるウオームを備えたホースクランプにおいて、
上記ベルト部およびハウジング部を合成樹脂で一体成形するとともに、上記ウオームを合成樹脂で成形し、
上記ラックを形成した上記ベルト部の一方の端部の背面に第１の噛合部を形成する一方、上記他方の端部に第２の噛合部を形成し、
上記ラックを上記ウオームに螺合せしめるとともに、上記第１の噛合部と上記第２の噛合部とを噛合せしめることを特徴とするホースクランプ。
【請求項２】
上記ウオームのネジ軸の径を中央部よりも両端部を大きくして、上記ウオームをベルト部の上記他方の端部の円弧に沿う鼓形ウオームとした請求項１記載のホースクランプ。
【発明の詳細な説明】
【０００１】
【発明の属する技術分野】
本発明はホースをパイプ等に連結して締め付けるホースクランプに関する。
【０００２】
【従来の技術】
図８に示すように、従来のホースクランプ９は、一端９ａにラック９１を形成したベルト部材９０と、ベルト部材９０の他端９ｂに取付けたハウジング部材９２と、ハウジング部材９２内に回転自在に貫通保持せしめるボルト状のウオーム８とを備えている。これらベルト部材９０、ハウジング部材９２、ウオーム８は金属、一般にはスチールまたはステンレススチールの加工品である。ラック９１はベルト部材９０の一端９ａを所定の間隔で凹凸状に成形したり、あるいは、所定の間隔で打ち抜き部を設けることにより形成されている。ハウジング部材９２は、ベルト部材９０の他端９ｂにかしめ固定したり、ベルト部材９０側およびハウジング部材９２側に形成した係合部で互いに係止させたりすることにより取付けられる。
【０００３】
ホースクランプ９は、パイプ等のまわりに嵌合したホースの端部外周に、ベルト部材９０を巻まわしてベルト部材９０の一端９ａをハウジング部材９２に挿通させてベルト部材９０の他端９ｂに重ね合わせ、ウォーム８を上記一端９ａに形成したラック９１に螺合させ、ウォーム８を回転させてベルト部材９０の一端９ａを螺進せしめることにより、ベルト部材９０をホース等に締め付ける。
【０００４】
【発明が解決しようとする課題】
ところで、従来のホースクランプ９は、構成部材が金属製であるから重量が大きい。また、ベルト部材９０を手指などでリング状に巻まわすのに大きな力を要する。また、ホースクランプ９は金属部材であり、かつ、ラック９１の加工やハウジング部材９２の取付け工数を要し、コスト高である。
【０００５】
そこで本発明は、軽量で、ホースの締め付け作業性が良好であり、かつ製造が容易で低コストのホースクランプを提供することを課題としてなされたものである。
【０００６】
【課題を解決するための手段】
本発明は、ホースをパイプ等のまわりに締め付けるホースクランプであって、一方の端部にラックを形成したベルト部と、該ベルト部の他方の端部に設けたハウジング部と、該ハウジング部内に回転可能に貫通保持され、ホース等のまわりに巻まわした上記ベルト部の一方の端部のラックと螺合し、上記一方の端部を螺進せしめるウオームを備えたホースクランプにおいて、上記ベルト部およびハウジング部を合成樹脂で一体成形するとともに、上記ウオームを合成樹脂で成形し、上記ラックを形成した上記ベルト部の一方の端部の背面に第１の噛合部を形成する一方、上記他方の端部に第２の噛合部を形成し、上記ラックを上記ウオームに螺合せしめるとともに、上記第１の噛合部と上記第２の噛合部とを噛合せしめる（請求項１）。上記ウオームのネジ軸の径を中央部よりも両端部を大きくして、上記ウオームをベルト部の上記他方の端部の円弧に沿う鼓形ウオームとする（請求項２）。
【０００７】
合成樹脂からなるホースクランプは金属製のものに比べて軽量で、ベルト部の柔軟性がありホースの締め付け作業性が良好である。また、型成形によりベルト部とハウジング部を一体成形することで、低コストにできる。合成樹脂からなるホースクランプは、型成形により第１および第２の噛合部を容易に成形でき、ラックとウオームとを螺合させるとともに、第１の噛合部と第２の噛合部とを噛合させるので、締め付け強度を強化できる。
【０００８】
【発明の実施の形態】
図１に示すように、ホースクランプ１は、一方の端部（以下、一端という）１ａ側にラック１１を備えたベルト部１０と、ベルト部１０の他方の端部（以下、他端という）１ｂ側にてウォーム２を保持するハウジング部１２とを合成樹脂で一体に成形し、ハウジング部１２内に回転自在にウォーム２を嵌装せしめた構造である。そしてホースクランプ１は、ベルト部１０をリング状に巻まわし、ベルト部１０の一端１ａのラック１１をウォーム２に螺合させ、ウォーム２を回転してベルト部１０でホース等の外周を締め付けるようにしてある。
【０００９】
図２に示すように、ベルト部１０およびハウジング部１２は、耐熱性および耐クリープ特性の高い合成樹脂、例えば、ポリエステルの液晶ポリマーやポリフェニレンスルフィド等からなる一体射出成形品で構成してある。ベルト部１０は一端１ａ側が直線状で、他端１ｂ側が円弧状の全体としてほぼＪ字形状に成形してある。一端１ａ側の表面（図２において下側）にはその長手方向の所定の範囲に、複数のネジ山を間隔をおいて連設したラック１１が形成してある。ラック１１の各ネジ山はベルト部１０表面から断面ほぼ台形状に突出し、ベルト部１０の幅方向にわたって若干斜めに形成してある。
【００１０】
ベルト部１０の他端１ｂ側の端末寄りの位置には表面側にハウジング部１２が形成してある。ハウジング部１２はベルト部１０の左右の両側縁から上方へ突出する断面ほぼ逆Ｕ字形をなし、ベルト部１０とでその長手方向に延びるトンネルを構成している。ハウジング部１２の上部はベルト部１０とほぼ平行に形成してある。ハウジング部１２の前後両端の開口部１２０，１２１のうち、ベルト部１０の他端１ｂ側の開口部１２１は、開口内に逆Ｕ字形に張り出すフランジを設けて開口寸法が小さく絞ってある（図２（Ｂ））。尚、ベルト部１０の他端１ｂ端末はハウジング部１２の開口部１２１下縁から突出するライナ部１３としてある。
【００１１】
ベルト部１０およびハウジング部１２は、例えば図３に示すように、ベルト部１０の背面を成形する固定型３Ａと、ベルト部１０の一端１ａ側の表面およびラック１１を成形する第１の可動型３Ｂと、ライナ部１３の表面およびハウジング部１２の表面を成形する第２の可動型３Ｃと、ハウジング部１２の内面およびベルト部１０の他端１ｂ側の表面を成形する第３の可動型３Ｄとで構成された金型を型閉めし、金型のキャビティ内に図略のゲートより溶融状態の合成樹脂材料を射出し、冷却後、各可動型３Ｂ，３Ｃ，３Ｄを開いて取り出すことで製造される。尚、固定型３Ａに対し、第１の可動型３Ｂは矢印Ｂ方向に沿って移動し、第２の可動型３Ｃは矢印Ｃ方向に沿って移動し、第３の可動型３Ｄは矢印Ｄ方向に沿って移動して金型を開閉する。
【００１２】
図４に示すように、ウォーム２は硬質の合成樹脂からなる成形品で、一端にドライバやレンチ等のねじ締め工具を係合可能な頭部２０を備えたボルト状に形成してある。ネジ軸２１は、そのネジ山がベルト部１０の他端１ｂ側の円弧に沿うように連設した鼓形ウォームとしてあり、中央部に比べて両端部の軸径が拡大してある。また、ネジ軸２１と頭部２０との境界には外周面をテーパー面とした大径の当接部２２を備えている。ウォーム２の他端にはネジ軸２１端末の軸径とほぼ同径で、縦方向および横方向に設けた十字形のスリットにより４分割され、内側方向へ撓み変形可能な弾性係合部２３が形成してある。係合部２３とネジ軸２１との境界には周方向に溝２４が形成してある。
【００１３】
図１に示すように、ウォーム２は、ハウジング部１２内に開口部１２０側より挿入し、係合部２３をハウジング内から小径の開口部１２１に圧入し、開口部１２１の開口縁に溝２４を嵌合するとともに、当接部２２の外周面をハウジング部１２の開口部１２０の開口縁に当接せしめて回転自在にハウジング部１２に取付けてある。ウォーム２は上記溝２４と開口部１２１の開口縁との係合により保持され抜け落ちない。ハウジング部１２内には、ウォーム２を保持せしめた状態で、ウォーム２とベルト部１０の他端１ｂ側の表面との間には、開口部１２１側より開口部１２０側へベルト部１０の一端１ａ側を挿通せしめる間隙を形成している。
【００１４】
このように構成したホースクランプ１は、円弧状をなすベルト部１０の他端１ｂ側をパイプ等のまわりに嵌合したホースの外周に嵌合し、ベルト部１０の一端１ａ側を湾曲させホース外周に巻まわし、一端１ａを開口部１２１からハウジング部１２内の上記間隙へ挿入して一端１ａ側を他端１ｂ側の表面に重ね合わせる。そして、一端１ａ側のラック１１をウォーム２のネジ軸２１に螺合し、ウォーム２を回転させて一端１ａ側を螺進せしめてホース外周を締め付ける。
【００１５】
ホースクランプ１は、一端１ａにラック１１を有するベルト部１０と、ベルト部１０の他端１ｂに設けるハウジング部１２とを合成樹脂により一体成形したので、別部材のベルト部材９０とハウジング部材９２とを組付ける従来の金属製のホースクランプ９に比べて生産性が向上し、かつ材料費も安価であってコストの低減がはかれる。
【００１６】
また、合成樹脂で構成したホースクランプ１は、従来の金属製のホースクランプ９に比べて重量が軽く、かつ、ベルト部１０が金属製のベルト部材９０に比べて軟質にできるので、ホース外周への巻まわし作業が容易で、締め付け作業性を向上できる。
【００１７】
ホースクランプ１は、ウォーム２を鼓形ウォームとしたので、ラック１１とウォーム２との螺合範囲を広くでき、ラック１１とウォーム２とを確実に螺合させるので、ホース外周を締め付ける締め付け力は高い。
【００１８】
次に、図５に基づいて本発明の他の実施形態を説明する。本実施形態の基本構造は先の実施形態のそれとほぼ同一で、相違点を中心に説明し、図において同一部材は同一符号で表す。本実施形態のホースクランプ１Ａは、一端１ａにラック１１を備えたベルト部１０と、ウォーム２を保持するハウジング部１２とを合成樹脂で一体に成形してある。また、ベルト部１０の一端１ａには背面に、ラック１１とほぼ同一範囲にわたって、複数の係止歯を連設した第１の噛合部１４が射出成形時に一体に成形してある。各係止歯は断面ほぼ三角形をなすノコ刃状で、係止歯の一端１ａ端末側は緩やかに立ち上がる傾斜面をなし、頂点より反対側は縦壁状の係合面が形成してある。
【００１９】
これに対して、ハウジング部１２の内部には、ベルト部１０の他端１ｂの表面に、第１の噛合部１４と噛合可能な第２の噛合部１５が一体に成形してある。第２の噛合部１５は、第１の噛合部１４と同様に、断面ほぼ三角形をなすノコ刃状の係止歯を複数連設して構成してあり、各係止歯は他端１ｂ端末側が緩やかに立ち上がる傾斜状で、頂点より反対側は縦壁状の係合面が形成してある。尚、ハウジング部１２内に嵌入したウォーム２と第２の噛合部１５との間には、開口部１２１側よりベルト部１０の一端１ａを挿入する間隙が形成してあり、ウォーム２と第２の噛合部１５とは干渉しない。
【００２０】
このように構成したホースクランプ１Ａは、ホースの外周にベルト部１０を巻まわし、ベルト部１０の一端１ａをハウジング部１２に挿通するとともに、ラック１１とウォーム２とを螺合させ、更に、第１の噛合部１４と第２の噛合部１５とを互いに噛合させる。ウォーム２を回転してベルト部１０の一端１ａを螺進させると、第１および第２の噛合部１４，１５は各係止歯の傾斜面どうしが摺動してベルト部１０の一端１ａの螺進に支障はない。そして、所定の締め付け位置に至ると、第１および第２の噛合部１４，１５とは各係止歯の係合面どうしが当接し、第１および第２の噛合部１４，１５の噛合は緩まない。このように、ホースクランプ１Ａは、ラック１１とウォーム２との螺合とともに、ベルト部１０の一端１ａ側の第１の噛合部１４と他端１ｂ側の第２の噛合部１５とを噛合せしめたので更に締め付け力を強化することができる。尚、第１および第２の噛合部１４，１５は射出成形時に容易に成形することができる。
【００２１】
また、他の実施形態として、図６に示したホースクランプ１Ｂのように、第２の噛合部１５をベルト部１０の他端１ｂ側のライナ部１３の表面、およびハウジング部１２内のベルト部１０の他端１ｂ側の表面に形成してもよい。これによれば、締め付け時、ベルト部１０の一端１ａ側の第１の噛合部１４と他端１ｂ側の第２の噛合部１５とがベルト部１０の長手方向に沿う広い範囲にわたって噛合するので、更に締め付け力を強化することができる。
【００２２】
更に他の実施形態として、図７に示したホースクランプ１Ｃのように、第２の噛合部１５をベルト部１０の他端１ｂ側のライナ部１３の表面のみに形成してもよい。これによれば、締め付け時には第１および第２の噛合部１４，１５の噛合により締め付け力が強く、かつ、第１および第２の噛合部１４，１５の噛合位置と、ラック１１とウォーム２との螺合位置とがずらしてあるので、締め付け後にウォーム２を逆回転しながら、ベルト部１０の一端１ａ側を若干浮かせ気味に退出方向（図７の矢印Ｙ方向）へ引っ張ることで容易に締め付けを解除することができる。
【００２３】
【発明の効果】
本発明によれば、ホースクランプの構成部材たるベルト部、およびウォームを保持するハウジング部を合成樹脂で一体成形したので、軽量で、ホースの締め付け作業性が良好で、かつ製造が容易で低コストのホースクランプを提供することができる。
【図面の簡単な説明】
【図１】本発明のホースクランプを示すもので、図１（Ａ）は斜視図、図１（Ｂ）は縦断面図を示す。
【図２】図２（Ａ）は上記ホースクランプのベルト部およびハウジング部の側面図、図２（Ｂ）はハウジング部の一方の端面図である。
【図３】上記ホースクランプのベルト部およびハウジング部の製造時を示す射出成形型の断面図である。
【図４】上記ホースクランプに用いるウォームを示すもので、図４（Ａ）は側面図、図４（Ｂ）は一方の端面図である。
【図５】本発明の他の実施形態のホースクランプを示す縦断面図である。
【図６】本発明の更に他の実施形態のホースクランプを示す要部縦断面図である。
【図７】本発明の更に他の実施形態のホースクランプを示す要部縦断面図である。
【図８】従来のホースクランプの縦断面図である。
【符号の説明】
１，１Ａ，１Ｂ，１Ｃ  ホースクランプ
１ａ  一方の端部（一端）
１ｂ  他方の端部（他端）
１０  ベルト部
１１  ラック
１２  ウォーム
１４  第１の噛合部
１５  第２の噛合部
２  ウォーム
【図１】
0003554546.tif 000002
【図２】
0003554546.tif 000003
【図３】
0003554546.tif 000004
【図４】
0003554546.tif 000005
【図５】
0003554546.tif 000006
【図６】
0003554546.tif 000007
【図７】
0003554546.tif 000008
【図８】
0003554546.tif 000009